(57)【要約】      （修正有）【課題】配置される場所の状態に応じて外部の電気機器への電力供給を可能とするポータブルセンサユニットを提供する。【解決手段】ポータブルセンサユニット１は、持ち運びに適した外形、重量に適合する容量に設定された筐体１１と、この筐体１１内に設けられて外部電源２が接続可能とされる電源受給部１２と、筐体１１内に設けられて前記外部の電気機器（３〜７）が接続可能とされる電源出力部１３と、筐体１１内に設けられて当該筐体１１の配置場所の状態を検出する監視部１４と、監視部１４からの出力に基づいて電源受給部１２から電源出力部１３への電力供給を開始または停止する処理を制御するための制御部１５と、を備えている。【選択図】図１
0003208486.tif 000002
【実用新案登録請求の範囲】
【請求項１】
配置される場所の状態に応じて外部の電気機器への電力供給を実行するポータブルセンサユニットであって、
持ち運びに適した外形、重量に適合する容量に設定された筐体と、
この筐体内に設けられて外部電源が接続可能とされる電源受給部と、
前記筐体内に設けられて前記外部の電気機器が接続可能とされる電源出力部と、
前記筐体内に設けられて当該筐体の配置場所の状態を検出する監視部と、
前記監視部からの出力に基づいて前記電源受給部から前記電源出力部への電力供給を開始または停止する処理を制御するための制御部と、を備えていることを特徴とするポータブルセンサユニット。
【請求項２】
請求項１に記載のポータブルセンサユニットにおいて、
前記監視部は、前記筐体の周辺の温度を感知する温度センサと、前記筐体の周辺の音を感知する音センサと、前記筐体の振動を感知する振動センサと、前記筐体の濡れを感知する濡れセンサと、前記筐体の周辺の光を感知する光センサとのうち、少なくともいずれか一つを含み、
前記制御部は、前記電源受給部に外部電源が接続された状態において、前記監視部による監視の開始要求を待つ処理と、前記開始要求を受けたと判定したときに前記監視部からの出力に基づいて前記電源出力部に接続される外部の電気機器への電力供給を開始または停止する処理とを行う、ことを特徴とするポータブルセンサユニット。
【考案の詳細な説明】
【技術分野】
【０００１】
本考案は、配置される場所の状態に応じて外部の電気機器への電力供給を可能とするポータブルセンサユニットに関する。
【背景技術】
【０００２】
例えば特許文献１には、幼児等の監視対象の体調の変化を検出する体調監視手段（ヘルスチェッカー）と、監視対象の周辺の環境の変化を検出する環境検出手段（環境チェッカー）と、環境または体調に異常があると判断したときに携帯端末に異常を通報する制御手段とを備える異常通報装置が記載されている。この異常通報装置は、持ち運びが容易であると記載されている。
【０００３】
また、特許文献２には、例えばビル等の建築物内の所定場所の温度、湿度も風速、ＣＯ濃度、ＣＯ2濃度および粉塵濃度等を測定する環境測定装置が記載されている。この環境測定装置は、ワゴン等を用いて移動させることが可能と記載されている。
【先行技術文献】
【特許文献】
【０００４】
【特許文献１】特開平１０−１１６７４号公報
【特許文献２】特開２００１−２６４１８０号公報
【考案の概要】
【考案が解決しようとする課題】
【０００５】
上記特許文献１には、環境に異常があるときに異常を通報するという記載があるものの、環境に異常があるときに外部の警報設備や空調設備等に電力を供給するという機能を備えていない。また、上記特許文献２では、環境の状態を測定するだけで、この測定結果に基づいて何らかのアクションを行うという機能を備えていない。
【０００６】
このような事情に鑑み、本考案は、配置される場所の状態に応じて外部の電気機器への電力供給を可能とするポータブルセンサユニットの提供を目的としている。
【課題を解決するための手段】
【０００７】
本考案は、配置される場所の状態に応じて外部の電気機器への電力供給を実行するポータブルセンサユニットであって、持ち運びに適した外形、重量に適合する容量に設定された筐体と、この筐体内に設けられて外部電源が接続可能とされる電源受給部と、前記筐体内に設けられて前記外部の電気機器が接続可能とされる電源出力部と、前記筐体内に設けられて当該筐体の配置場所の状態を検出する監視部と、前記監視部からの出力に基づいて前記電源受給部から前記電源出力部への電力供給を開始または停止する処理を制御するための制御部と、を備えていることを特徴としている。
【０００８】
本考案に係るポータブルセンサユニットは、持ち運びやすいので、例えば体育会、催し物、コンサート等のようないろいろなイベントを行う会場の状態を監視する場合に、当該会場に比較的簡単に運び入れて配置することが可能になる。
【０００９】
このように会場に配置したポータブルセンサユニットに外部電源を接続しておいて、監視を開始させると、前記会場の状態を把握できるようになる。そして、前記監視の結果、前記会場の状態が予め設定した基準状態と異なる場合に、前記外部の電気機器に電力の供給を開始させることができる。そのことに加えて、前記外部の電気機器（例えば空調設備、放送設備、防犯設備、照明設備、警報設備等）を利用して前記監視結果に応じて適切な処置を行うことも可能である。
【００１０】
ところで、前記監視部は、前記筐体の周辺の温度を感知する温度センサと、前記筐体の周辺の音を感知する音センサと、前記筐体の振動を感知する振動センサと、前記筐体の濡れを感知する濡れセンサと、前記筐体の周辺の光を感知する光センサとのうち、少なくともいずれか一つを含み、前記制御部は、前記電源受給部に外部電源が接続された状態において、前記監視部による監視の開始要求を待つ処理と、前記開始要求を受けたと判定したときに前記監視部からの出力に基づいて前記電源出力部に接続される外部の電気機器への電力供給を開始または停止する処理とを行う、構成とすることができる。
【００１１】
ここでは、前記監視部の構成ならびに前記制御部が行う処理を特定している。この特定により、例えば本考案に係るポータブルセンサユニットの配置場所の状態が明確になる他、その状態に対する対処の形態が明確になる。
【考案の効果】
【００１２】
本考案に係るポータブルセンサユニットによれば、不特定の場所に運び入れて、当該場所の状態を監視することが可能になる。そして、前記監視の結果、前記会場の状態が例えば予め設定した基準状態と異なる場合に、前記外部の電気機器に電力の供給を開始させることが可能になる。
【図面の簡単な説明】
【００１３】
【図１】本考案に係るポータブルセンサユニットの一実施形態の概略構成を示す図である。
【図２】図１の筐体の外観を示す図である。
【図３】図１の外部電源の外観を示す図である。
【考案を実施するための形態】
【００１４】
以下、本考案を実施するための最良の実施形態について添付図面を参照して詳細に説明する。
【００１５】
図１から図３に、本考案の一実施形態を示している。図中、１はポータブルセンサユニットを示している。
【００１６】
このポータブルセンサユニット１には、外部電源２を接続することができる他、外部の電気機器として例えば空調設備３、放送設備４、防犯設備５、照明設備６ならびに警報設備７等を接続することができるようになっている。
【００１７】
詳しくは、ポータブルセンサユニット１は、筐体１１、電源受給部１２、電源出力部１３、監視部１４、制御部１５、表示部１６、蓄電装置１７等を備えている。
【００１８】
具体的に、筐体１１は、図２に示すように、胴体１１ａの上面に蓋１１ｂがヒンジ（符号省略）を介して開閉可能に連結された構成になっている。
【００１９】
胴体１１ａの手前（反ヒンジ）側の幅広な側面には、持ち手１１ｃが取り付けられている。胴体１１ａおよび蓋１１ｂは、落下したときでも破損しにくいような耐衝撃性ならびに耐破損性に優れた素材ならびに構造に形成されている。また、胴体１１ａに設けられている係止部１１ｄを、蓋１１ｂに設けられている被係止部１１ｅに係止することにより、蓋１１ｂが閉じた状態に保持される。
【００２０】
この筐体１１は、一般的なトランク型手提げケースの外形に近似した長方体形状に形成されていて、標準的な人間にとって持ち運びに適した外形、重量に適合する容量に設定されている。この持ち運びに適した外形、重量の目安としては、標準的な人間が手で持って数分〜数十分程度移動することが可能になる程度のもののこととする。参考までに、前記持ち運びに適した外形については、例えば横４００〜６００ｍｍ、縦３００〜５００ｍｍ、厚み１５０〜３００ｍｍとすることができ、また、前記持ち運びに適した重量については、例えば７〜２５ｋｇとすることができる。
【００２１】
電源受給部１２は、筐体１１内に設けられて外部電源２が図示していないが有線ケーブルを介して接続可能とされている。
【００２２】
電源出力部１３は、筐体１１内に設けられて前記外部の電気機器（３〜７）が図示していないが有線ケーブルまたは無線通信手段を介して接続可能とされている。
【００２３】
監視部１４は、筐体１１内に設けられて当該筐体１１の配置場所の状態を検出するものであって、例えば筐体１１の周辺の温度を感知する温度センサ２１、筐体１１の周辺の音を感知する音センサ２２、筐体１１の振動を感知する振動センサ２３、筐体１１の濡れを感知する濡れセンサ２４、ならびに筐体１１の周辺の光を感知する光センサ２５等を備えている。
【００２４】
制御部１５は、監視部１４からの出力に基づいて電源受給部１２から電源出力部１３への電力供給を開始または停止する処理を制御するものである。具体的に、制御部１５は、電源受給部１２に外部電源２が接続された状態において、監視部１４による監視の開始要求を待つ処理と、前記開始要求を受けたと判定したときに監視部１４の各種センサ２１〜２５からの出力に基づいて電源出力部１３に接続される外部の電気機器（３〜７）への電力（例えばＡＣ１００Ｖ）の供給を開始または停止する処理とを行う。
【００２５】
表示部１６は、各種センサ２１〜２５からの出力に基づいて上記ポータブルセンサユニット１が配置される会場の状態（監視結果）を表示するものであって、筐体１１の胴体１１ａに設置されている。
【００２６】
蓄電装置１７は、上記監視部１４による監視動作ならびに上記制御部１５による制御を実行するための電力を供給する電源となるものである。
【００２７】
ところで、外部電源２は、例えば上記ポータブルセンサユニット１の筐体１１と同様に、図３に示すように、胴体２ａの上面に蓋２ｂがヒンジ（符号省略）を介して開閉可能に連結された構成とすることができる。
【００２８】
胴体２ａの手前（反ヒンジ）側の幅広な側面には、持ち手２ｃが取り付けられている。胴体２ａおよび蓋２ｂは、落下したときでも破損しにくいような耐衝撃性ならびに耐破損性に優れた素材ならびに構造に形成されている。また、胴体２ａに設けられている係止部２ｄを、蓋２ｂに設けられている被係止部２ｅに係止することにより、蓋２ｂが閉じた状態に保持される。
【００２９】
次に、上述したポータブルセンサユニット１の使用例を説明する。
【００３０】
ポータブルセンサユニット１は、上述したように持ち運びやすいので、例えば体育会、催し物、コンサート等のようないろいろなイベントを行う会場の状態を監視する場合に、当該会場に運び入れて配置することが可能になる。
【００３１】
このように会場に配置したポータブルセンサユニット１に外部電源２を接続して、監視を開始させると、前記会場の状態を把握できるようになる。なお、前記監視については、ポータブルセンサユニット１に外部電源２を接続した場合に、当該接続されたことを感知したときに開始させるように設定することが可能である他、図示していないが、筐体１１に監視開始スイッチ等を設けておき、この監視開始スイッチがオン操作されたときに開始させるように設定することも可能である。
【００３２】
ここで、前記監視の結果、前記会場の温度が予め設定される上限閾値以上になったときまたは下限閾値以下になったときに、外部の電気機器（空調設備３、放送設備４、防犯設備５、照明設備６ならびに警報設備７等）に電力（例えばＡＣ１００Ｖ）の供給を開始する。
【００３３】
そして、前記電力供給を開始した後、例えば放送設備４や警報設備７により前記温度変化を報知させるようにするとともに、例えば空調設備３により前記会場の温度変化に見合った空調等を行わせるようにする等の処置を行うことが可能である。
【００３４】
この他、上記会場に配置したポータブルセンサユニット１を例えば夜間等において無人監視させる形態とすることが可能である。その場合、前記監視の結果、前記会場の照度が予め設定される閾値以下になったときに、照明設備６に電力（例えばＡＣ１００Ｖ）の供給を開始するとともに、当該照明設備６により前記会場を明るくする等の処置を行うことが可能である。
【００３５】
なお、ポータブルセンサユニット１による監視結果については、筐体１１に設けられている表示部１６に常時において表示させることが可能である。また、図示していないが、筐体１１に適宜の表示スイッチ等を設けておき、この表示スイッチがオン操作されたときに、前記監視結果を表示部１６に所定時間だけ表示させるようにすることも可能である。
【００３６】
以上説明したように、本考案を適用した実施形態のポータブルセンサユニット１によれば、比較的持ち運びやすいので、例えば体育会、催し物、コンサート等のようないろいろなイベントを行う会場の状態を監視する場合に、当該会場に比較的簡単に運び入れて配置することが可能になる。
【００３７】
しかも、会場に配置したポータブルセンサユニット１によって監視を開始させると、前記会場の状態を把握できるようになる。そして、前記監視の結果、前記会場の状態が予め設定した基準状態と異なる場合に、前記外部の電気機器（空調設備３、放送設備４、防犯設備５、照明設備６ならびに警報設備７等）に電力の供給を開始させて、前記外部の電気機器を利用することにより、前記監視結果に応じて最適となる処置を行うことも可能である。
【００３８】
なお、上記実施形態では、監視部１４として温度センサ２１、音センサ２２、振動センサ２３、濡れセンサ２４ならびに光センサ２５を備える構成であると説明しているが、本発明はそれのみに限定されるものではなく、監視部１４については、図示していないが、例えば前記各センサ２１〜２５のうちの少なくともいずれか一つを備える構成とすることが可能である。
【産業上の利用可能性】
【００３９】
本考案は、配置される場所の状態に応じて外部の電気機器への電力供給を可能とするポータブルセンサユニットに好適に利用することが可能である。
【符号の説明】
【００４０】
１  ポータブルセンサユニット
１１  筐体
１１ａ  胴体
１１ｂ  蓋
１１ｃ  持ち手
１１ｄ  係止部
１１ｅ  被係止部
１２  電源受給部
１３  電源出力部
１４  監視部
２１  温度センサ
２２  音センサ
２３  振動センサ
２４  濡れセンサ
２５  光センサ
１５  制御部
１６  表示部
１７  蓄電装置
２  外部電源
３  空調設備
４  放送設備
５  防犯設備
６  照明設備
７  警報設備
【図１】
0003208486.tif 000003
【図２】
0003208486.tif 000004
【図３】
0003208486.tif 000005